(57)【要約】【課題】簡単な構成でマイクロホンへの雑音を遮断する。【解決手段】金属製の三脚固定用ネジ４３が螺合される樹脂製の三脚固定用ネジ穴４４が設けられた突起４５とマイクロホン４６との間に、板金４８を配置する。板金４８は、第三取り付けネジ５３によって、電気回路基板３３と接地基板３４とに共締めされ、接地基板３４による基準電位点に接地される。板金４８は、第一、第二取り付けネジ３６、４０によって、フロントケース３０、リアケース３１、および本体基部３２に共締めされる。【選択図】図６
2008193589.tif 000002
【特許請求の範囲】
【請求項１】
マイクロホンと、電気回路と、前記マイクロホンと前記電気回路との間に設けられ、金属製の係合部材が取り付けられる樹脂製の係合部とを備えた電子機器において、
前記マイクロホンと前記係合部との間に、接地された金属製の雑音遮断部材が配置されていることを特徴とする電子機器。
【請求項２】
マイクロホンと、前記マイクロホンに電源を供給する電源回路と、前記マイクロホンと前記電源回路との間に設けられ、金属製の三脚固定用ネジが取り付けられる樹脂製の三脚固定用ネジ穴とを備えたデジタルカメラにおいて、
前記マイクロホンと前記三脚固定用ネジ穴との間に、接地された金属製の雑音遮断部材が配置されていることを特徴とするデジタルカメラ。
【請求項３】
前記雑音遮断部材は、前記電源回路が設けられた基板と接地導体とに締結固定されていることを特徴とする請求項２に記載のデジタルカメラ。
【請求項４】
前記雑音遮断部材は、その側端部が前記マイクロホンと前記電源回路とを繋ぐ配線に接触しないように曲げられていることを特徴とする請求項２または３に記載のデジタルカメラ。
【請求項５】
前記雑音遮断部材の側端部が、前記マイクロホンと前記電源回路とを繋ぐ配線に接触することを防ぐ接触防止部材を備えることを特徴とする請求項２ないし４のいずれかに記載のデジタルカメラ。
【請求項６】
前記接触防止部材は、前記三脚固定用ネジ穴が形成された部材に一体化して設けられたリブであることを特徴とする請求項５に記載のデジタルカメラ。
【請求項７】
前記雑音遮断部材は、前記三脚固定用ネジ穴が形成された部材と外装ケースとに締結固定されていることを特徴とする請求項２ないし６のいずれかに記載のデジタルカメラ。
【発明の詳細な説明】
【技術分野】
【０００１】
本発明は、周囲の音声を収録するためのマイクロホンを備えた電子機器、およびデジタルカメラに関する。
【背景技術】
【０００２】
電子機器、例えば、デジタルカメラには、動画の撮影時に周囲の音声を収録するためのマイクロホンが内蔵されている。動画の撮影時には、撮像レンズで取り込まれた被写体像がＣＣＤなどの固体撮像素子で光電変換されると同時に、マイクロホンで周囲の音声が収録される。そして、これにより得られた画像データと音声データが関連付けられて、メモリカードなどの記録媒体に記録される。
【０００３】
ところで、近年、電子機器のさらなる小型化への要求が高まっており、デッドスペースを極力なくして、限られたスペースに部品を効率的に実装する工夫が重ねられている。このため、必然的に部品同士の距離が縮まり、マイクロホンの周辺にも、雑音源となり得る部品が近距離で配置されるおそれがある。
【０００４】
このような背景を踏まえて、従来、マイクロホンに入力された雑音を除去するための技術が提案されている（特許文献１参照）。特許文献１に記載の発明では、雑音源としてのメカニズム機構部から発生する周期的雑音成分をマイクロホンの出力音声信号から抽出し、抽出した雑音成分を出力音声信号から減算することで、雑音を除去している。
【特許文献１】特開平１１−２０５８９１号公報
【発明の開示】
【発明が解決しようとする課題】
【０００５】
しかしながら、特許文献１に記載の発明では、ある程度の確率で雑音のレベルを類推することが可能な周期的雑音成分のみを対象としているため、雑音のレベルを類推することができない雑音成分は除去されない。また、雑音検出器や減算器などを設け、これらの制御シーケンスを組む必要があり、生産コストが掛かるという問題があった。
【０００６】
本発明は、上記課題を鑑みてなされたものであり、簡単な構成で、マイクロホンへの雑音を遮断することができる電子機器、およびデジタルカメラを提供することを目的とする。
【課題を解決するための手段】
【０００７】
上記目的を達成するために、請求項１に記載の発明は、マイクロホンと、電気回路と、前記マイクロホンと前記電気回路との間に設けられ、金属製の係合部材が取り付けられる樹脂製の係合部とを備えた電子機器において、前記マイクロホンと前記係合部との間に、接地された金属製の雑音遮断部材が配置されていることを特徴とする。
【０００８】
請求項２に記載の発明は、マイクロホンと、前記マイクロホンに電源を供給する電源回路と、前記マイクロホンと前記電源回路との間に設けられ、金属製の三脚固定用ネジが取り付けられる樹脂製の三脚固定用ネジ穴とを備えたデジタルカメラにおいて、前記マイクロホンと前記三脚固定用ネジ穴との間に、接地された金属製の雑音遮断部材が配置されていることを特徴とする。
【０００９】
前記雑音遮断部材は、前記電源回路が設けられた基板と接地導体とに締結固定されていることが好ましい。
【００１０】
前記雑音遮断部材は、その側端部が前記マイクロホンと前記電源回路とを繋ぐ配線に接触しないように曲げられていることが好ましい。
【００１１】
前記雑音遮断部材の側端部が、前記マイクロホンと前記電源回路とを繋ぐ配線に接触することを防ぐ接触防止部材を備えることが好ましい。この場合、前記接触防止部材は、前記三脚固定用ネジ穴が形成された部材に一体化して設けられたリブであることが好ましい。
【００１２】
前記雑音遮断部材は、前記三脚固定用ネジ穴が形成された部材と外装ケースとに締結固定されていることが好ましい。
【発明の効果】
【００１３】
本発明の電子機器、およびデジタルカメラによれば、マイクロホンとマイクロホンの周辺に近距離で配置された雑音源との間に雑音遮断部材を配置するだけの簡単な構成で、マイクロホンへの雑音を遮断することができる。
【発明を実施するための最良の形態】
【００１４】
図１および図２において、デジタルカメラ２は、略矩形状のカメラ本体１０を有する。カメラ本体１０の前面には、撮像レンズ１１を保持するレンズ鏡胴１２や、ストロボ発光窓１３、補助光発光窓１４などが設けられている。上面には、電源ボタン１５、レリーズボタン１６、およびレリーズボタン１６の周囲を取り囲む円環状のズーム操作レバー１７が設けられている。また、図示はしていないが、カメラ本体１０の底面には、開閉自在な蓋が設けられている。蓋を開くと、メモリカード９６（図７参照）が着脱自在に装填されるメモリカードスロット、およびバッテリー（図示せず）が着脱自在に装填されるバッテリースロットが露呈される。
【００１５】
カメラ本体１０の背面には、液晶表示器（以下、ＬＣＤと略す。）１８、および操作部１９などが設けられている。ＬＣＤ１８は、メモリカード９６から読み出した画像やスルー画像、各種設定画面を表示する。操作部１９は、各種モードを切り替えるためのモードダイヤル２０、ＬＣＤ１８に設定画面を表示させる際や、選択内容を決定する際に操作されるメニューボタン２１、および設定画面内でカーソルを移動させるための十字ボタン２２などから構成される。
【００１６】
レリーズボタン１６は、二段階押しのスイッチである。ＬＣＤ１８による被写体のフレーミングの後に、レリーズボタン１６が軽く押圧（半押し）されると、露出条件の決定（ＡＥ）、自動焦点調整（ＡＦ）などの各種撮影準備処理が施される。この状態でレリーズボタン１６がもう１度強く押圧（全押し）されると、決定された露出条件の下で一回の撮影が行われる。
【００１７】
モードダイヤル２０が回動操作されると、静止画撮影を行う静止画撮影モード、動画撮影を行う動画撮影モード、撮影した画像をＬＣＤ１８に表示する再生モード、および各種設定を行う設定モードが選択的に切り替えられる。動画撮影モードでは、マイクロホン４６（図３参照）によって周囲の音声が収録される。
【００１８】
図３において、カメラ本体１０は、樹脂製のフロントケース３０およびリアケース３１と、これらのケース３０、３１の間に内蔵される樹脂製の本体基部３２、電気回路基板３３、および金属製の接地基板３４とから構成される。
【００１９】
フロントケース３０の前面には、外部の音声をマイクロホン４６に伝えるための音声伝達穴３５が設けられている。フロントケース３０の裏面には、第一取り付けネジ３６が挿通される第一挿通穴３７が穿たれた第一取り付け舌片３８が突設されている（図６も参照）。
【００２０】
一方、リアケース３１の側面には、外部電源入力ジャック５５（後述）が露呈されるジャック用穴３９が設けられている。リアケース３１の裏面には、第二取り付けネジ４０が挿通される第二挿通穴４１が穿たれた第二取り付け舌片４２が突設されている（図６も参照）。この他にも、フロントケース３０およびリアケース３１には、レンズ鏡胴１２などの構成部品用の複数の開口や取り付け用の穴が形成されている。
【００２１】
本体基部３２の底面には、金属製の三脚固定用ネジ４３が螺合される三脚固定用ネジ穴４４が穿たれた円柱状の突起４５が設けられている。突起４５のフロントケース３０側には、マイクロホン４６が取り付けられるマイクロホン取り付け部４７が設けられている。
【００２２】
突起４５とマイクロホン取り付け部４７の側部には、雑音遮断部材としての板金４８が取り付けられる板金取り付け部４９が設けられている。板金取り付け部４９は、板金４８の第四取り付け舌片７１の下段部７４（図４参照）が嵌め込まれる嵌合片５０と、第一取り付けネジ３６が挿通される第三挿通穴５１と、第二取り付けネジ４０が挿通される第四挿通穴５２とを有する（図５、図６も参照）。この他にも、本体基部３２には、レリーズボタン１６などの構成部品用の複数の取り付け部が設けられている。
【００２３】
電気回路基板３３の下側部には、第三取り付けネジ５３が挿通される第五挿通穴５４が穿たれている（図６も参照）。また、電気回路基板３３の下側部には、外部電源入力ジャック５５が取り付けられている。外部電源入力ジャック５５には、外部電源（図示せず）からの電源供給コネクタ（図示せず）が接続される。
【００２４】
電気回路基板３３には、外部電源入力ジャック５５を介して受給した電力をマイクロホン４６に供給する電源回路５６、および電源回路５６が接続された接点５７が設けられている。接点５７には、マイクロホン４６から延ばされたハーネス５８が接続される（図５参照）。ハーネス５８は、電源供給用の配線や音声信号を取り出すための配線を纏めたものである。なお、図示はしていないが、接点５７には、電源回路５６の他に、音声信号処理部１００（図７参照）などが接続されている。
【００２５】
接地基板３４の下側部には、第三取り付けネジ５３が挿通される第六挿通穴５９が穿たれた第三取り付け舌片６０が設けられている。第三取り付け舌片６０は、略Ｌ字状に屈曲され、接地基板３４の前面からフロントケース３０側に突出している。
【００２６】
図４において、板金４８は、板金本体７０と、板金本体７０に一体形成された第四、第五取り付け舌片７１、７２とからなる。板金本体７０は、突起４５の形状に沿うように半円弧状に曲げられ、その側端部７３が電気回路基板３３側に向けられている。
【００２７】
第四取り付け舌片７１は、略Ｓ字状に折り曲げられており、嵌合片５０に嵌め込まれる下段部７４と、下段部７４よりも一段高く形成された上段部７５とを有する。下、上段部７４、７５には、それぞれ、第一、第二取り付けネジ３６、４０が螺合される第一、第二ネジ穴７６、７７が形成されている。
【００２８】
一方、第五取り付け舌片７２は、電気回路基板３３の前面に相対するように、板金本体７０から直角に折り曲げられている。第五取り付け舌片７２には、第三取り付けネジ５３が螺合される第三ネジ穴７８が穿たれている。
【００２９】
マイクロホン４６、および板金４８をそれぞれの取り付け部４７、４９に取り付けた状態を示す図５において、板金本体７０は、マイクロホン４６側の突起４５の表面を覆うように、突起４５とマイクロホン４６との間に配置される。ハーネス５８は、板金本体７０の外側を懸け回されて接点５７に接続されているが、板金本体７０が曲げられて側端部７３が電気回路基板３３側に向けられていることから、ハーネス５８が側端部７３に接触しないようになっている。
【００３０】
フロントケース３０、リアケース３１、本体基部３２、電気回路基板３３、および接地基板３４を合体させてカメラ本体１０とした状態を示す図６において、フロントケース３０、および本体基部３２は、それぞれ、第一挿通穴３７、および第三挿通穴５１に第一取り付けネジ３６を挿通し、第一取り付けネジ３６を第一ネジ穴７６に螺合することによって、板金４８に共締めされている。同様に、リアケース３１、および本体基部３２は、それぞれ、第二挿通穴４１、および第四挿通穴５２に第二取り付けネジ４０を挿通し、第二取り付けネジ４０を第二ネジ穴７７に螺合することによって、板金４８に共締めされている。
【００３１】
さらに、電気回路基板３３、および接地基板３４は、それぞれ、第五挿通穴５４、および第六挿通穴５９に第三取り付けネジ５３を挿通し、第三取り付けネジ５３を第三ネジ穴７８に螺合することによって、板金４８に共締めされている。つまり、電気回路基板３３、および板金４８は、接地基板３４による基準電位点に接地される。なお、第三取り付け舌片６０が接地基板３４の前面からフロントケース３０側に突出していることから、電気回路基板３３と接地基板３４とは、面接触ではなく、間隔を空けた状態で保持される。また、言う迄もないが、フロントケース３０、リアケース３１、本体基部３２、電気回路基板３３、および接地基板３４は、上記した箇所以外の複数の箇所で互いに固定されている。
【００３２】
カメラ本体１０を組み立てる際には、まず、嵌合片５０に下段部７４を嵌合して、板金取り付け部４９に板金４８を仮止めする。次いで、第五挿通穴５４、および第六挿通穴５９に第三取り付けネジ５３を挿通し、第三取り付けネジ５３を第三ネジ穴７８に螺合して、電気回路基板３３、接地基板３４、および板金４８を共締めする。
【００３３】
次に、マイクロホン取り付け部４７にマイクロホン４６を取り付け、板金本体７０の外側を懸け回してハーネス５８を接点５７に接続する。そして、フロントケース３０、およびリアケース３１で本体基部３２、電気回路基板３３、および接地基板３４を覆った後、第一挿通穴３７、および第三挿通穴５１に第一取り付けネジ３６を挿通し、第一取り付けネジ３６を第一ネジ穴７６に螺合するとともに、第二挿通穴４１、および第四挿通穴５２に第二取り付けネジ４０を挿通し、第二取り付けネジ４０を第二ネジ穴７７に螺合し、フロントケース３０、リアケース３１、本体基部３２、および板金４８を共締めする。
【００３４】
デジタルカメラ２の電気的構成を示す図７において、撮像レンズ１１には、レンズモータ８０が接続されている。また、絞り８１には、アイリスモータ８２が接続されている。これらのモータ８０、８２はステッピングモータであり、ＣＰＵ８３に接続されたモータドライバ８４、８５から送信される駆動パルスにより動作制御される。
【００３５】
レンズモータ８０は、ズーム操作レバー１７の操作に連動して、撮像レンズ１１のズームレンズをワイド側、あるいはテレ側にステップ移動させる。また、各焦点距離において、フォーカスレンズを移動させて合焦位置に停止させる。アイリスモータ８２は、絞り８１を動作させ、絞り径を調整する。
【００３６】
撮像レンズ１１および絞り８１の背後には、被写体像を撮像するＣＣＤ８６が配置されている。ＣＣＤ８６には、ＣＰＵ８３によって制御されるＣＣＤドライバ８７が接続されている。ＣＣＤドライバ８７は、ＣＣＤ８６の電荷蓄積時間と電荷掃き出しタイミングを制御するためのタイミング信号（クロックパルス）をＣＣＤ８６に出力する。
【００３７】
ＣＣＤ８６から出力された撮像信号は、アナログ信号処理部８８に入力される。アナログ信号処理部８８は、撮像信号に対して相関二重サンプリングを施し、ＣＣＤ８６の各セルの蓄積電荷量に正確に対応したＲ、Ｇ、Ｂの画像信号を出力する。そして、この画像信号を所定の増幅率で増幅し、Ａ／Ｄ変換器（Ａ／Ｄ）８９に出力する。
【００３８】
Ａ／Ｄ８９は、画像信号をＡ／Ｄ変換してデジタルの画像データを出力する。Ａ／Ｄ８９から出力された画像データは、データバス９０を介してＳＤＲＡＭ９１に入力され、ＳＤＲＡＭ９１に一旦格納される。なお、アナログ信号処理部８８、およびＡ／Ｄ８９は、タイミングジェネレータ（図示せず）から入力されるタイミング信号に応じて同期駆動し、一定のフレームレート（例えば、３０フレーム／秒）で画像データを出力する。
【００３９】
デジタル信号処理部９２は、ＳＤＲＡＭ９１から画像データを読み出して、画像データに対して、階調変換、ホワイトバランス補正、γ補正などの各種画像処理を施す。デジタル信号処理部９２で画像処理が施された画像データは、再度ＳＤＲＡＭ９１に格納される。
【００４０】
ＹＣ変換処理部９３は、ＳＤＲＡＭ９１から画像データを読み出し、画像データに対して、ＲＧＢの信号を輝度信号Ｙと色差信号Ｃｒ、Ｃｂとに変換するＹＣ変換を施す。圧縮伸張処理部９４は、ＹＣ変換処理部９３でＹＣ変換が施された画像データに対して、所定の圧縮形式（例えば、ＪＰＥＧ形式）で画像圧縮を施す。圧縮伸張処理部９４で圧縮された画像データは、ＳＤＲＡＭ９１に再度格納される。
【００４１】
画像圧縮された画像データは、ＳＤＲＡＭ９１からメモリ制御部９５に読み出され、メモリ制御部９５の制御の下に、メモリカード９６に記録される。また、メモリカード９６に記録された画像データは、メモリ制御部９５を経てＳＤＲＡＭ９１に一旦格納され、圧縮伸張処理部９４に読み出されて圧縮される前の画像データに伸張される。
【００４２】
ＬＣＤドライバ９７には、ＹＣ変換処理部９３で簡易ＹＣ変換された二フレーム分の画像データが格納されるＶＲＡＭ（図示せず）が接続されている。ＶＲＡＭは、画像データの書き込みと読み出しとを並行して行う。ＬＣＤドライバ９７は、ＶＲＡＭから読み出した画像データをアナログのコンポジット信号に変換し、これをＬＣＤ１８にスルー画像として表示する。また、ＬＣＤドライバ９７は、圧縮伸張処理部９４で伸張された画像データを、ＬＣＤ１８に再生画像として表示する。
【００４３】
ＣＰＵ８３は、制御バス９８を介して各部に制御信号を送信するとともに、各部からの応答信号を受信して、各部の動作を統括的に制御する。ＣＰＵ８３には、レリーズボタン１６、操作部１９などの他に、各種制御用のプログラムや設定情報などが記録されたＥＥＰＲＯＭ９９、音声信号処理部１００、および測光・測距部１０１が接続されている。
【００４４】
ＣＰＵ８３は、レリーズボタン１６からの操作入力信号を受けて、レリーズボタン１６の半押し、全押しに伴う処理を各部に実行させる。また、ＣＰＵ８３は、操作部１９から入力される操作入力信号に応じて各部を動作させ、各種情報をＥＥＰＲＯＭ９９から内蔵ＲＡＭに読み出して、処理を実行する。
【００４５】
音声信号処理部１００は、増幅器（ＡＭＰ）、Ａ／Ｄ変換器（Ａ／Ｄ）、およびノイズリデューサなどからなる。音声信号処理部１００は、マイクロホン４６から入力された音声をＡＭＰで増幅し、Ａ／Ｄでデジタルの音声データに変換する。そして、ノイズリデューサで電気的に雑音を除去し、ＣＰＵ８３に出力する。ＣＰＵ８３は、音声信号処理部１００から出力された音声データをメモリ制御部９５に出力し、メモリ制御部９５は、音声データを画像データと関連付けてメモリカード９６に記録させる。
【００４６】
測光・測距部１０１は、被写体の輝度、および被写体までの距離を検出し、この検出結果から露出量、ホワイトバランス補正量、および焦点距離を決定する。測光・測距部１０１は、スルー画像の表示中は所定のサイクルで作動している。スルー画像の表示中は、測光・測距部１０１で決定された露出量に応じて、モータドライバ８５によりアイリスモータ８２が動作され、絞り８１の絞り径が制御される。絞り径のみで適正な露出量にすることができない場合は、ＣＣＤドライバ８７によりＣＣＤ８６の電荷蓄積時間が制御される。
【００４７】
測光・測距部１０１は、レリーズボタン１６が半押しされたときに輝度および距離の検出を開始し、検出結果をＣＰＵ８３に逐次送信する。ＣＰＵ８３は、測光・測距部１０１からの検出結果に基づいて、撮像レンズ１１、絞り８１、およびＣＣＤ８６の動作を制御する。
【００４８】
次に、上記構成を有するデジタルカメラ２の動作について説明する。デジタルカメラ２で静止画撮影を行う際には、電源ボタン１５を操作してデジタルカメラ２の電源を投入する。そして、モードダイヤル２０を操作して静止画撮影モードを選択する。
【００４９】
静止画撮影モードでは、撮像レンズ１１、絞り８１を介して入射した被写体像がＣＣＤ８６の撮像面に結像され、これによりＣＣＤ８６から撮像信号が出力される。ＣＣＤ８６から出力された撮像信号は、アナログ信号処理部８８で相関二重サンプリングされて増幅され、Ａ／Ｄ８９でデジタルの画像データに変換される。
【００５０】
Ａ／Ｄ８９から出力された画像データは、データバス９０を介してＳＤＲＡＭ９１に入力され、ＳＤＲＡＭ９１に一旦格納される。ＳＤＲＡＭ９１に格納された画像データは、ＹＣ変換処理部９３で簡易ＹＣ変換が施された後、ＶＲＡＭに格納される。ＶＲＡＭに格納された画像データは、逐次ＬＣＤドライバ９７に読み出されて、ＬＣＤドライバ９７でコンポジット信号に変換され、ＬＣＤ１８にスルー画像として表示される。
【００５１】
スルー画像の表示中にレリーズボタン１６が半押しされると、測光・測距部１０１で被写体の輝度および被写体までの距離が検出され、露出量、ホワイトバランス補正量、および焦点距離が決定される。そして、この結果に基づいて、ＣＰＵ８３により撮像レンズ１１、絞り８１、およびＣＣＤ８６の動作が制御され、撮影準備処理が施される。
【００５２】
レリーズボタン１６の全押しにより撮影が実行されると、決定された露出量に基づいて静止画撮影が行われ、これにより得られた画像データがＳＤＲＡＭ９１に格納される。ＳＤＲＡＭ９１に格納された画像データは、デジタル信号処理部９２に読み出されて各種画像処理が施された後、ＳＤＲＡＭ９１に再び格納される。そして、今度はＹＣ変換処理部９３に読み出されて本格的なＹＣ変換が施された後、圧縮伸張処理部９４で圧縮処理され、ＳＤＲＡＭ９１に再び格納される。ＳＤＲＡＭ９１に格納された圧縮処理後の画像データは、メモリ制御部９５に読み出され、メモリ制御部９５の制御の下にメモリカード９６に記録される。
【００５３】
モードダイヤル２０が操作されて動画撮影モードが選択され、レリーズボタン１６が全押しされて動画の撮影が開始されると、一定のフレームレートでＣＣＤ８６から撮像信号が出力される。そして、アナログ信号処理部８８、デジタル信号処理部９２、ＹＣ変換処理部９３、および圧縮伸張処理部９４で静止画撮影モードと同様の処理が施され、これにより生成された画像データが逐次メモリカード９６に記録される。また、これと同時に、マイクロホン４６により周囲の音声が収録される。マイクロホン４６に入力された音声は、音声信号処理部１００でデジタルの音声データに変換され、ＣＰＵ８３に出力される。ＣＰＵ８３に出力された音声データは、メモリ制御部９５により、画像データと関連付けられてメモリカード９６に記録される。
【００５４】
ここで、三脚を用いるために、三脚固定用ネジ４３を三脚固定用ネジ穴４４に螺合し、マイクロホン４６に外部電源を入力するために、外部電源入力ジャック５５に外部電源からの電源供給コネクタを接続して動画撮影を行った場合、三脚固定用ネジ４３、マイクロホン４６、および電源回路５６が近接して配置されているため、これらの相互作用によってマイクロホン４６で収録される音声に雑音が乗るおそれがあるが、三脚固定用ネジ穴４４とマイクロホン４６との間に板金４８を配置し、第三取り付けネジ５３を介して板金４８を接地基板３４に接続しているので、三脚固定用ネジ４３、マイクロホン４６、および電源回路５６の相互作用により発生する雑音が板金４８によって完全に遮断される。
【００５５】
一方、モードダイヤル２０が操作されて再生モードが選択され、画像の再生指示がなされると、メモリカード９６に記録された画像データがＳＤＲＡＭ９１に格納される。そして、ＳＤＲＡＭ９１から圧縮伸張処理部９４に画像データが読み出され、圧縮伸張処理部９４で伸張されて元の画像データとなり、再びＳＤＲＡＭ９１に格納される。ＳＤＲＡＭ９１に格納された伸張後の画像データは、ＬＣＤドライバ９７に読み出されてＬＣＤ１８に再生表示される。
【００５６】
以上説明したように、板金４８で雑音を遮断したので、常にクリアな音声を収録することができる。また、フロントケース３０と本体基部３２、リアケース３１と本体基部３２、および、電気回路基板３３と接地基板３４を、それぞれ、第一〜第三取り付けネジ３６、４０、５３で板金４８に共締めする構成としたので、これらの部品同士の組み付け強度、および各部品自体の機械的強度が増し、組み立て部品の削減、および組み立て工程の簡略化を図ることができる。なお、本発明は、これらの部品を共締めする構成としない態様も含まれる。
【００５７】
上記実施形態では、板金４８の側端部７３がハーネス５８に接触しないように、板金本体７０を突起４５の形状に沿うように半円弧状に曲げているが、図８に示すように、板金本体７０には加工を施さず、本体基部３２のハーネス５８が懸け回される位置と側端部７３との間に、接触防止リブ１１０を設けてもよい。但し、接触防止リブ１１０を設置するスペースを確保する必要があるので、上記実施形態のように、板金本体７０を曲げることがより好ましい。
【００５８】
上記実施形態では、電子機器としてデジタルカメラ２を例示して説明したが、本発明はこれに限定されず、マイクロホンで音声を収録するあらゆる電子機器についても適用することが可能である。同様に、上記実施形態の三脚固定用ネジ穴４４や電源回路５６は、請求項１に記載の係合部と電気回路の一例であり、本発明を特に限定するものではない。
【図面の簡単な説明】
【００５９】
【図１】デジタルカメラの正面概観を示す斜視図である。
【図２】デジタルカメラの背面概観を示す平面図である。
【図３】カメラ本体の構成を示す分解斜視図である。
【図４】板金の構成を示す斜視図である。
【図５】マイクロホンの周辺の構成を示す拡大斜視図である。
【図６】マイクロホンの周辺の構成を示す拡大断面図である。
【図７】デジタルカメラの電気的構成を示すブロック図である。
【図８】別の実施形態におけるマイクロホンの周辺の構成を示す拡大斜視図である。
【符号の説明】
【００６０】
２  デジタルカメラ
１０  カメラ本体
１１  撮像レンズ
１６  レリーズボタン
１８  液晶表示器（ＬＣＤ）
１９  操作部
３０  フロントケース
３１  リアケース
３２  本体基部
３３  電気回路基板
３４  接地基板
３６、４０、５３  第一〜第三取り付けネジ
３７、４１、５１、５２、５４、５９  第一〜第六挿通穴
４３  三脚固定用ネジ
４４  三脚固定用ネジ穴
４６  マイクロホン
４８  板金
５５  外部電源入力ジャック
５６  電源回路
５８  ハーネス
７３  側端部
７６〜７８  第一〜第三ネジ穴
８３  ＣＰＵ
８６  ＣＣＤ
９６  メモリカード
１００  音声信号処理部
１１０  接触防止リブ
【図１】
2008193589.tif 000003
【図２】
2008193589.tif 000004
【図３】
2008193589.tif 000005
【図４】
2008193589.tif 000006
【図５】
2008193589.tif 000007
【図６】
2008193589.tif 000008
【図７】
2008193589.tif 000009
【図８】
2008193589.tif 000010